(57)【要約】【課題】光学部品の冷却効果を妨げないようにしながら、微塵が光学部品に付着することによる画質の低下を低減するようにした投写型映像表示装置を提供すること。【解決手段】本発明に係る投写型映像表示装置は、光学系を構成する光学部品５を収納する外装ケース１と、外装ケース１に設けられた吸気口２からエアフィルタ３を介して機外空気を取り入れ、取り入れた機外空気を吸気ダクト６により冷却すべき光学部品５まで送り、冷却空気を吹き付けるようにした冷却システムとを備える。冷却システムは、吸気ダクト６に、前面側は空気流の向きを滑らかに変更させる傾斜面に形成されるとともに背面側が乱流を形成するように形成された乱流形成部を備えている。【選択図】図１
2011123177.tif 000002
【特許請求の範囲】
【請求項１】
光源ランプからの照明光を映像信号に基づいて光変調させて映像光を生成し、生成された映像光を投写する光学系と、光学系を構成する光学部品を収納する外装ケースと、機外空気取り入れ用の吸気口が外装ケースに設けられ、吸気ファンによりこの吸気口に設けられたエアフィルタを介して機外空気を取り入れ、取り入れた機外空気を吸気ダクトにより前記光学部品のうちの冷却すべき光学部品まで送り、この光学部品に吹き付けるようにした冷却システムとを備えた投写型映像表示装置であって、
前記冷却システムは、前記吸気ダクト中に乱流形成部を有し、
この乱流形成部は、空気流に対する障害部であって、前面側が空気流の向きを滑らかに変更させる傾斜面又は曲面に形成され、背面側が乱流を形成するように形成されている
ことを特徴とする投写型映像表示装置。
【請求項２】
前記乱流形成部は、背面側に上流側へ窪む凹部を有するように形成されていることを特徴とする請求項１記載の投写型映像表示装置。
【請求項３】
前記乱流形成部は、空気流中の中心部に配置されていることを特徴とする請求項２記載の投写型映像表示装置。
【請求項４】
前記乱流形成部は、流路を形成するダクト壁から空気流の流れ方向を変更させるように突出する突出壁が形成され、この突出壁の背後側に突出壁とダクト壁とにより上流側へ窪む凹部が形成されていることを特徴とする請求項２記載の投写型映像表示装置。
【請求項５】
前記乱流形成部は、この乱流形成部を構成する壁面のうちの少なくとも一部の壁面に、ごみを付着し易くする加工が施されていることを特徴とする請求項１〜４の何れか１項記載の投写型映像表示装置。
【請求項６】
光源ランプからの照明光を映像信号に基づいて光変調させて映像光を生成し、生成された映像光を投写する光学系と、光学系を構成する光学部品を収納する外装ケースと、機外空気取り入れ用の吸気口が外装ケースに設けられ、吸気ファンによりこの吸気口に設けられたエアフィルタを介して機外空気を取り入れ、取り入れた機外空気を吸気ダクトにより前記光学部品のうちの冷却すべき光学部品まで送り、この光学部品に吹き付けるようにした冷却システムとを備えた投写型映像表示装置であって、
前記冷却システムは、吸気ダクトが吸気口から直進する直進部とこの直進部から略直角方向に方向転換した転進部とを有するとともに、前記直進部と転進部との角部において直進部の突き当たり壁面が転進部のダクト壁より前進した位置へ延伸され、これにより直進部の突き当たり部に空気流の吹き溜まり部が形成されていることを特徴とする投写型映像表示装置。
【請求項７】
前記吹き溜まり部は、この吹き溜まり部を構成する壁面のうちの少なくとも一部の壁面に、ごみを付着し易くする加工が施されていることを特徴とする請求項６記載の投写型映像表示装置。
【請求項８】
光源ランプからの照明光を映像信号に基づいて光変調させて映像光を生成し、生成された映像光を投写する光学系と、光学系を構成する光学部品を収納する外装ケースと、機外空気取り入れ用の吸気口が外装ケースに設けられ、吸気ファンによりこの吸気口に設けられたエアフィルタを介して機外空気を取り入れ、取り入れた機外空気を吸気ダクトにより前記光学部品のうちの冷却すべき光学部品まで送り、この光学部品に吹き付けるようにした冷却システムとを備えた投写型映像表示装置であって、
前記冷却システムは、前記吸気ダクトに請求項１〜５の何れか１項に記載の乱流形成部と請求項６又は７に記載の空気流の吹き溜まり部とを備えていることを特徴とする投写型映像表示装置。
【発明の詳細な説明】
【技術分野】
【０００１】
本発明は、投写型映像表示装置に係り、特に、光源ランプからの照明光を光変調して映像光を生成する光学部品の冷却機構に関する。
【背景技術】
【０００２】
従来、光源から出射された光束をダイクロイックミラーによって、三原色の赤、緑、青の色光に分離するとともに、三枚の液晶パネルにより各色光毎の映像信号に応じて光変調し、変調された各色光を合成し、投写レンズを介してカラー映像を拡大投写する、所謂３板式液晶投写型映像表示装置が知られている。このような投写型映像表示装置の光学系においては、光源ランプ、液晶パネル、偏光板、光学補償板のように温度上昇が問題となる光学部品が含まれている。また、このような部品の温度が許容温度を超えた場合には、画像形成が適切に行われなくなるという問題がある。このため、多くの投写型映像表示装置においては、機外から導入した空気をこれら光学部品の周辺に送風して、これら光学部品を冷却する方法が採られている。
【０００３】
ところで、このような冷却方法において、機外の空気には塵埃が含まれていることがある。また、このような塵埃が投写型映像表示装置の内部に入り光学部品に塵埃が付着すると、光の透過がさえぎられたり、光が乱反射されたりすることにより投写画像の画質が劣化するという問題が発生する。そこで、従来の投写型映像表示装置においては、通常機外の空気を取り入れる吸気口にエアフィルタを設けている。しかし、吸気口にエアフィルタを設けていてもエアフィルタのメッシュより小さい埃が、エアフィルタを通過して光学部品に付着してしまうという問題があった。
【０００４】
このような問題について、従来次のような対策が知られている。その一例は特許文献１に記載のものである。これは、図４に記載のように、エアフィルタが設けられた吸気口の下流側に位置する、吸気ファンと光学部品との間に配設された導風路１０１内に、スポンジ状の角型の塵埃除去用フィルタ１０２を設けたものである。
【０００５】
また、他の対策として特許文献２に記載のものがある。これは、図５に記載のように、機外空気を取り入れるサイドケース２０１の開口２０２にエアフィルタ２０３が設けれるとともに、このエアフィルタ２０３と開口２０２の隙間が封止部材２０４で埋められている。そして、図６に記載のように、エアフィルタ２０３に対向するように板状部材が直立され、この板状部材が整流部２０５として設けられている。このため、エアフィルタ２０３を介して導入された空気は、この板状部材からなる整流部２０５の面に衝突した後第１ダクト２０６内を流通し、ベースダクト２０７に支持されている冷却ファン２０８，２０９に吸入される。したがって、エアフィルタ２０３で捕捉されなかった塵埃が整流部２０５の直立面に付着されて捕捉される。
【先行技術文献】
【特許文献】
【０００６】
【特許文献１】特開２００４−１２６４２１号公報
【特許文献２】特開２００７−２５６８９９号公報
【発明の概要】
【発明が解決しようとする課題】
【０００７】
しかし、図４に記載の従来例のものは、吸気口にエアフィルタを設ける他にスポンジ状の角型の塵埃除去用フィルタ１０２を設けるものであって、２重にエアフィルタを設けることになる。これは埃除去には有効であるが、通風抵抗が大きくなるため機外空気の吸気量が低下する原因となり、冷却効率を低下させる原因となる。また、図５及び図６に記載のものは、開口２０２のエアフィルタ２０３に対向して設けられる整流部２０５の壁面に微塵を吹き付けて付着させるため、通風抵抗が大きくなり機外空気の吸気量が低下する原因となるため、冷却効率を低下させる原因となり、微塵は空気流に浮遊して流れ易い状態となっているので、微塵の捕捉効率も低いという問題があった。
【０００８】
本発明は、このような問題に鑑み、光学部品の冷却効果を妨げないようにしながら、微塵が光学部品に付着することによる画質の劣化を低減した投写型映像表示装置を提供することを目的とする。
【課題を解決するための手段】
【０００９】
本発明に係る投写型映像表示装置は、光源ランプからの照明光を映像信号に基づいて光変調させて映像光を生成し、生成された映像光を投写する光学系と、光学系を構成する光学部品を収納する外装ケースと、機外空気取り入れ用の吸気口が外装ケースに設けられ、吸気ファンによりこの吸気口に設けられたエアフィルタを介して機外空気を取り入れ、取り入れた機外空気を吸気ダクトにより前記光学部品のうちの冷却すべき光学部品まで送り、この光学部品に吹き付けるようにした冷却システムとを備えた投写型映像表示装置であって、前記冷却システムは、前記吸気ダクト中に乱流形成部を有し、この乱流形成部は、空気流に対する障害部であって、前面側が空気流の向きを滑らかに変更させる傾斜面又は曲面に形成され、背面側が乱流を形成するように形成されていることを特徴とする。
【００１０】
本発明に係る投写型映像表示装置はこのように構成されているので、吸気ダクトに取り込まれる機外空気は、エアフィルタのメッシュ以下の微塵を含んだ空気流となって搬送される。しかし、微塵を含む空気流は、障害物を成す乱流形成部の背面側で乱され、空気流中に含まれる微塵が背面側の壁面に付着して除去される。これにより、光学部品への微塵の付着が軽減され、画質の向上が図られる。また、乱流形成部は、前面側が空気流の流れ方向を滑らかに変更させるように形成されているので、２重のエアフィルタを形成する従来例や、吸気口のエアフィルタに対向して壁面が配置された従来例に比べて通風抵抗が小さくなり、光学部品に到着する前に効率よく微塵を除去することができる。また、このように壁面に付着して除去された微塵は、再飛散することがなく、また、大量に付着することもないので、乱流形成部を構成する壁面に付着したごみを除去する必要がない。
【００１１】
また、前記乱流形成部は、背面側に上流側へ窪む凹部を有するように形成されているものとすることが好ましい。このように構成すると、背面側に乱流（特異なものではカルマン渦）が形成され易くなり、空気流が凹部に引き込まれ易くなるので、空気流中の微塵が除去され易くなる。
【００１２】
また、前記乱流形成部は、空気流中の中心部に配置されていることが好ましい。このように構成すると、乱流形成部を構成する障害物の背面側の壁面に接触する空気流が多くなるので、空気流中の微塵が除去され易くなる。
【００１３】
また、前記乱流形成部は、流路を形成するダクト壁から空気流の流れ方向を変更させるように突出する突出壁が形成され、この突出壁の背後側に突出壁とダクト壁とにより上流側へ窪む凹部が形成されているものとしてもよい。このように構成すると、構成部材を簡略化して背面側に上流側へ窪む凹部を有する乱流形成部を形成することができる。
【００１４】
また、前記乱流形成部は、この乱流形成部を構成する壁面のうちの少なくとも一部の壁面に、ごみを付着し易くする加工が施されていることが好ましい。このように構成すれば、微塵の除去効率を向上させることができ、画像の品質の劣化をより低減することができる。
【００１５】
また、本発明に係る投写型映像表示装置は、上記構成の投写型映像表示装置と異なり、光源ランプからの照明光を映像信号に基づいて光変調させて映像光を生成し、生成された映像光を投写する光学系と、光学系を構成する光学部品を収納する外装ケースと、機外空気取り入れ用の吸気口が外装ケースに設けられ、吸気ファンによりこの吸気口に設けられたエアフィルタを介して機外空気を取り入れ、取り入れた機外空気を吸気ダクトにより前記光学部品のうちの冷却すべき光学部品まで送り、この光学部品に吹き付けるようにした冷却システムとを備えた投写型映像表示装置であって、前記冷却システムは、吸気ダクトが吸気口から直進する直進部とこの直進部から略直角方向に方向転換した転進部とを有するとともに、前記直進部と転進部との角部において直進部の突き当たり壁面が転進部のダクト壁より前進した位置へ延伸され、これにより直進部の突き当たり部に空気流の吹き溜まり部が形成されたものとしてもよい。
【００１６】
このように構成すると、前述の発明に係る投写型映像表示装置と同様に、エアフィルタのメッシュ以下の微塵は空気流中に含まれて吸気ダクト内に送られる。しかし、微塵を含む空気流が直進部の空気流の吹き溜まり部に吹き込まれると、空気流が突き当たり壁面に衝突することにより空気流中に含まれる微塵が突き当たり壁面に付着して除去される。また、この空気流の吹き溜まり部は、従来のエアフィルタに対向して板状部材からなる整流部が配置されるものと比較すると、吸気ダクトの通路に出っ張る壁体を用いないので、従来例に比べて通風抵抗を小さくすることができる。したがって、空気流が光学部品に到着する前に効率よく微塵を除去することができる。また、このように空気流の吹き溜まり部の突き当たり壁面に付着して除去された微塵は、再飛散することがなく、また、大量に付着することもないので、空気流の吹き溜まり部を構成する突き当たり壁面に付着したごみを除去する必要がない。
【００１７】
また、前記空気流の吹き溜まり部は、この吹き溜まり部を構成する壁面のうちの少なくとも一部の壁面に、ごみを付着し易くする加工が施されていることが好ましい。このように構成すれば、微塵の除去効率を向上させることができ、画像の品質の劣化をより低減することができる。
【００１８】
また、本発明に係る投写型映像表示装置は、光源ランプからの照明光を映像信号に基づいて光変調させて映像光を生成し、生成された映像光を投写する光学系と、光学系を構成する光学部品を収納する外装ケースと、機外空気取り入れ用の吸気口が外装ケースに設けられ、吸気ファンによりこの吸気口に設けられたエアフィルタを介して機外空気を取り入れ、取り入れた機外空気を吸気ダクトにより前記光学部品のうちの冷却すべき光学部品まで送り、この光学部品に吹き付けるようにした冷却システムとを備えた投写型映像表示装置であって、前記冷却システムは、前記吸気ダクトに前述の乱流形成部と前述の空気流の吹き溜まり部とを備えているように構成することもできる。このように構成すると、空気流の吹き溜まり部では衝突作用により壁面に塵埃を付着させる作用があるので、比較的大きな塵埃が効率よく除去される。これに対し、乱流形成部における塵埃除去は比較的小さなごみの除去に適している。したがって、本発明においては、両者の特長を生かした塵埃の除去が可能になり、より確実に塵埃除去が行われる。
【発明の効果】
【００１９】
本発明に係る投写型映像表示装置によれば、エアフィルタのメッシュ以下の微塵が光学部品冷却のために取り込まれた機外空気中に含まれて吸気ダクト内に送られるが、この機外空気流が乱流形成部或いは空気流吹き溜まり部を通過する際に微塵が除去されるので、光学部品に付着する微塵を軽減することができ、画質の向上を図ることができる。また、た、乱流形成部或いは空気吹き溜まり部における通風抵抗は、従来のものに比べて小さく、光学部品に到着する前に効率よく微塵を除去することができる。また、乱流形成部或いは空気吹き溜まり部を構成する壁面に付着した微塵は、微量であり、再飛散の懸念もないので除去する必要がない。
【図面の簡単な説明】
【００２０】
【図１】本発明の実施の形態１に係る投写型映像表示装置における冷却システムの模式図であって、（ａ）は概略構成図であり、（ｂ）は要部拡大図である。
【図２】本発明の実施の形態２に係る投写型映像表示装置における冷却システムの模式図であって、（ａ）は概略構成図であり、（ｂ）は要部拡大図である。
【図３】本発明の実施の形態３に係る投写型映像表示装置における冷却システムの概略構成を示した模式図である。
【図４】従来例に係る投写型映像表示装置の冷却構造を示す図である。
【図５】他の従来例に係る投写型映像表示装置の冷却構造に関し、開口周りの斜視図である。
【図６】同冷却構造に関し、整流部周りの断面図である。
【発明を実施するための形態】
【００２１】
以下、本発明の実施の形態１に係る投写型映像表示装置について図１を参照しながら説明する。
この投写型映像表示装置は、前述の所謂３板式液晶投写型映像表示装置であって、光源ランプからの照明光を映像信号に基づいて光変調させて映像光を生成し、生成された映像光を投写する光学系と、光学系を構成する光学部品を収納する外装ケース１とを備えている。そして、この投写型映像表示装置における光学系を構成する光学部品の冷却システムが次のように構成されている。
【００２２】
図１（ａ）は、この冷却システムの模式構造を示すものであって、外装ケース１の機外空気を取り込む吸気口２にエアフィルタ３が設けられその下流側に軸流ファンからなる吸気ファン４が設けられている。また、吸気ファン４から光学系を構成する光学部品の内の冷却すべき光学部品５にかけて吸気ダクト６が形成されている。吸気ダクト６は、機内に向けて水平に直進する直進部６１と、直進部６１から垂直方向に方向を転換する転進部６２とから構成されている。転進部６２の先端は冷却すべき光学部品の下部に開口しており、転進部６２の吹出口６２ａから冷却すべき光学部品５の表面部に向けて機外空気が吹き付けられるように構成されている。冷却すべき光学部品５としては、この実施の形態においては液晶ライトバルブであり、液晶ライトバルブを構成する液晶パネルや、その前後に配置される偏光板、光学補償板を対象とする。
【００２３】
また、この転進部６２の中心部に乱流形成部７が設けられている。この乱流形成部７は、前面側は空気流の向きを滑らかに変更させる傾斜面に形成され、背面側には、上流側へ窪む断面Ｖ字状の凹部７２が形成された断面Ｖ字状の壁体７１からなる。また、この断面Ｖ字状の壁体７１は、紙面における表裏方向を長手方向として吸気ダクト６内を掛け渡すように形成されている。したがって、この壁体７１は空気流に対する障害物であって、背面側に乱流が形成される。
【００２４】
実施の形態１に係る冷却システムは、このように構成されているので、吸気口２から吸入された機外空気は、エアフィルタ３を通過することにより比較的大きな塵埃が除去され、吸気ファン４により吸気ダクト６内に送られる。エアフィルタ３を通過した空気は、エアフィルタ３のメッシュ以下の大きさの微塵を含んで、直進部６１から転進部６２にかけて流通する。そして、転進部６２を流通する空気流は、図１（ｂ）に示すように、断面Ｖ字状の壁体７１からなる乱流形成部７の上流側表面に沿って曲げられて送られる。しかし、乱流形成部７の背面側が負圧域となって背面側に乱流が形成され、背面側の断面Ｖ字状の凹部７２に空気流が吸い込まれ乱されながら流れる。このとき微塵を含む空気流が乱流形成部７の壁面に接触しながら乱されることにより、空気流に含まれる微塵が乱流形成部７の壁面に付着されて除去される。
【００２５】
実施の形態１に係る投写型映像表示装置は、以上のように構成されているので次のような効果を奏することができる。
（１）吸気口２のエアフィルタ３を介して吸気ダクト６に取り込まれた機外空気は、吸気口２に設けられたエアフィルタ３により比較的大きな塵埃が除去される。ところが、エアフィルタ３のメッシュ以下の微塵が空気流中に含まれて吸気ダクト内に送られる。しかし、微塵を含む空気流は、乱流形成部７を構成する障害物の背面側で乱され、空気流中に含まれる微塵が乱流形成部７の壁面に付着して除去される。これにより、光学部品５に付着する微塵を軽減することができ、画質の向上を図ることができる。
【００２６】
（２）また、乱流形成部７は、前面側が空気流の流れ方向を滑らかに変更させるように形成されているので、２重のエアフィルタを形成する従来例や、吸気口のエアフィルタに対向して整流部を成す壁面が配置された従来例に比べて通風抵抗を小さくすることができる。したがって、微塵が光学部品５に到着する前に効率よく微塵を除去することができる。
【００２７】
（３）また、このように付着した微塵は、投写型映像表示装置の運転中に再飛散する恐れもなく、また、大量に付着することもないので、乱流形成部７を構成する壁面に付着したごみを除去する必要がない。
【００２８】
（４）また、乱流形成部７は、背面側に上流側へ窪む凹部７２を有するように形成されているので、背面側に乱流（特異なものではカルマン渦）が形成され易くなり、空気流が凹部７２に引き込まれ易くなるので、空気流中の微塵が除去され易くなる。
【００２９】
（５）乱流形成部７は、空気流中の中心部に配置されているので、乱流形成部７を構成する障害物の背面側の壁面に接触する空気流が多くなり、空気流中の微塵が除去され易くなる。
【００３０】
（実施の形態２）
次に、実施の形態２に係る投写型映像表示装置について、図２に基づき説明する。なお、図２において、実施の形態１と同一の構成要素には、実施の形態１と同一の符号を付し、その説明を省略する。
【００３１】
実施の形態２に係る投写型映像表示装置は、乱流形成部の構成を変更したものである。実施の形態２に係る乱流形成部８は、図２（ａ）に示すように、吸気ダクト６の転進部６２のダクト壁６２ｂから空気流の流れ方向を変更させるように斜め上方に突出する突出壁８１が形成され、この突出壁８１の背後側に突出壁８１とダクト壁６２ｂとにより上流側へ窪む凹部８２が形成されているものである。なお、その他の構成は、実施の形態１と同一である。
【００３２】
実施の形態２に係る投写型映像表示装置は、このように構成されているので、吸気口２のエアフィルタ３を介して吸気ダクト６に取り込まれた機外空気は、エアフィルタ３のメッシュ以下の大きさの微塵を含んで転進部６２へ流通する。そして、この空気流は、図２（ｂ）に示すように、ダクト壁６２ｂから斜め上方に突出する突出壁８１により流れ方向が変更される。しかし、乱流形成部８の背面側が負圧域となって背面側に乱流が形成され、背面側の断面Ｖ字状の凹部８２に空気流が吸い込まれ乱されながら流れる。このとき空気流が乱流形成部８の壁面に接触しながら乱されることにより、空気流に含まれる微塵が乱流形成部８の壁面に付着されて除去される。
【００３３】
実施の形態２は、以上のように構成されているので、実施の形態１に係る効果（１）〜（４）と同一の効果を奏することができるとともに、次の効果を奏することができる。
（６）本実施の形態に係る乱流形成部８は、障害物として、流路を形成するダクト壁６２ｂから空気流の流れ方向を変更させるように斜め上方に突出する突出壁８１が形成され、この突出壁８１の背後側に突出壁８１とダクト壁６２ｂとにより上流側へ窪む凹部８２が形成されている。したがって、背面側に上流側へ窪む凹部８２を有する乱流形成部８の構成を簡素化することができる。
【００３４】
（実施の形態３）
次に実施の形態３に係る投写型映像表示装置について、図３に基づき説明する。なお、図３において、実施の形態１と同一の構成要素には、実施の形態１と同一の符号を付し、その説明を省略する。
【００３５】
実施の形態３に係る投写型映像表示装置は、実施の形態１において、乱流形成部７に代わり直進部６１の突き当たり部に空気流の吹き溜まり部９を形成したものである。
すなわち、この実施の形態において、吸気ダクト６は、吸気口２から直進する直進部６１と、この直進部６１から略直角方向に方向を転換した転進部６２とを有するとともに、直進部６１と転進部６２との角部において、直進部６１の突き当たり壁面６１ａが転進部６２のダクト壁６２ｂより前進した位置となるように延伸されている。これにより、直進部６１の突き当たり部が空気流の吹き溜まり部９に形成されたものである。
【００３６】
実施の形態３に係る投写型映像表示装置は、このように構成されているので、吸気口２のエアフィルタ３を介して吸気ダクト６に取り込まれた機外空気は、エアフィルタ３のメッシュ以下の大きさの微塵を含んで転進部６２へ流通する。そして、この空気流は、図３に示すように、直進部６１の空気流の吹き溜まり部９に吹き込まれ、ここで微塵を含む空気流が突き当たり壁面６１ａに衝突することにより、空気流中に含まれる微塵が突き当たり壁面６１ａに付着して除去される。
【００３７】
実施の形態３は、以上のように構成されているので、実施の形態１に係る効果（１）〜（３）に類似の次の効果を奏することができる。
（７）吸気口２のエアフィルタ３を介して吸気ダクト６に取り込まれた機外空気は、エアフィルタ３のメッシュ以下の微塵を含んで吸気ダクト内に送られる。しかし、微塵を含む空気流は、直進部６１の空気流の吹き溜まり部９に吹き込まれ、吹き溜まり部９を構成する突き当たり壁面６１ａに付着して除去される。これにより、光学部品５に付着する微塵を軽減することができ、画質の向上を図ることができる。
【００３８】
（８）また、この空気流の吹き溜まり部９は、従来のエアフィルタに対向して配置される壁面のものと比較すると、吸気ダクト６の通路に出っ張るものではないので、従来例に比べて通風抵抗を小さくすることができる。したがって、微塵が光学部品５に到着する前に効率よく微塵を除去することができる。
【００３９】
（９）また、このように空気流の吹き溜まり部９を構成する突き当たり壁面６１ａに付着して除去された微塵は、再飛散する恐れがなく、また、大量に付着することもないので、空気流の吹き溜まり部９を構成する突き当たり壁面６１ａに付着したごみを除去する必要がない。
【００４０】
（変形例）
本発明は、上記実施の形態において以下のように変更することができる。
・上記各実施の形態において、微塵が付着する壁面に、微塵が付着しやすいような加工を施すようにしてもよい。例えば、付着しやすい塗装を施す、磁気を帯びたものを貼り付けるなどしてもよい。このように構成すれば、塵埃除去効率を向上させることができる。
【００４１】
・また、上記各実施の形態において、微塵が付着する壁面に微小な凹凸が設けられるようにしてもよい。このようにすると、空気流中に含まれる塵埃が凸部に衝突して振るい落とされて、壁面に付着され易くなる。微小な凹凸は細かい溝状のものを形成してもよいし、表面粗さを荒くしたものでもよい。このように構成すれば、塵埃除去効率を向上させることができる。
【００４２】
・実施の形態１及び実施の形態２において、実施の形態３の空気流の吹き溜まり部９を形成し、空気流中の微塵を乱流形成部７，８と吹き溜まり部９の２箇所で除去するようにしてもよい。このような併用を行うと、比較的大きな微塵が空気流の吹き溜まり部９で除去され、乱流形成部７，８において比較的小さな微塵を除去することができる。
【００４３】
・上記各実施の形態において、吸気ファン４として軸流ファンが用いられているが、この吸気ファン４としてシロッコファンや、ターボファンなど他の遠心式送風機を用いてもよい。
【００４４】
・実施の形態１及び２において、乱流形成部７，８を構成する壁体７１及び突出壁８１は、前面側が空気流の流れに対し斜めに横たわる傾斜面に形成されているが、これを曲面にしてもよい。例えば、実施の形態１においてＶ字状の壁体７１に構成されているが、半円形、半楕円形、半長円形、放物線形などとしてもよい。また、実施の形態２においても突出壁８１を同様の曲面形状の部分的なものとしてもよい。
【産業上の利用可能性】
【００４５】
本発明は、種々の投写型映像表示装置に適用できる。例えば、先の実施の形態においては、３板式液晶プロジェクタを示したが、他の画像光生成系を備えた投写型プロジェクタや、ＤＬＰ（Digital Light Processingの略であって、テキサス・インスツルメンツ（ＴＩ社）の登録商標）方式のプロジェクタなどに本発明を適用することもできる。
【符号の説明】
【００４６】
１…外装ケース、２…吸気口、３…エアフィルタ、４…吸気ファン、５…光学部品、６…吸気ダクト、７，８…乱流形成部、９…空気流の吹き溜まり部、６１…直進部、６１ａ…突き当たり壁面、６２…転進部、６２ｂ…ダクト壁、７２，８２…凹部、８１…突出壁。
【図１】
2011123177.tif 000003
【図２】
2011123177.tif 000004
【図３】
2011123177.tif 000005
【図４】
2011123177.tif 000006
【図５】
2011123177.tif 000007
【図６】
2011123177.tif 000008